(57)【要約】【課題】  複数の排紙トレイを備えた画像形成装置において、複数の排紙トレイのいずれかを排出先として指定する際にユーザがわかりやすくし、使い勝手を向上させ、また、排出時にどの排紙トレイに排出されているかを、実際に排出されている様子を見ずともユーザが容易に認識することができる画像形成装置を提供することである。【解決手段】  本体制御部が、表示操作部に画像形成装置の複数の排紙トレイの設けられた位置が明示された模擬図をグラフィック表示し、表示操作部に表示された複数の排紙トレイのそれぞれに対応付けて排出先の排紙トレイを指定するボタンを表示操作部に表示し、排出先の排紙トレイを指定するボタンに対するユーザからの入力を受付け、この入力結果に基づいて、印刷制御部によって画像形成した用紙の排出先の排紙トレイを決定するように制御することを特徴とする。【選択図】  図２
2005250184.tif 000002
【特許請求の範囲】
【請求項１】
原稿画像を読み取り画像データを得る画像入力部と、画像データに基づいて用紙に画像を形成する印刷制御部と、画像形成装置の動作を制御する本体制御部と、ユーザに対する表示やユーザからの操作入力を行う表示操作部と、前記印刷制御部によって画像形成した用紙の排出先である複数の排紙トレイとを具備した画像形成装置において、
前記本体制御部が、前記表示操作部に該画像形成装置の前記複数の排紙トレイの設けられた位置が明示された模擬図をグラフィック表示し、該表示操作部に表示された複数の排紙トレイのそれぞれに対応付けて排出先の排紙トレイを指定するボタンを前記表示操作部に表示し、前記排出先の排紙トレイを指定するボタンに対するユーザからの入力を受付け、該入力結果に基づいて、前記印刷制御部によって画像形成した用紙の排出先の排紙トレイを決定するように制御する
ことを特徴とする画像形成装置。
【請求項２】
前記本体制御部が、前記印刷制御部によって画像形成した用紙を排紙トレイに排出する際に、前記表示操作部にて該排出先の排紙トレイを明示するよう制御することを特徴とする請求項１に記載の画像形成装置。
【請求項３】
前記本体制御部が、前記印刷制御部によって画像形成した用紙を排紙トレイに排出する際に、前記表示操作部にて該排出先の排紙トレイの表示色を他と異ならせることによって該排出先の排紙トレイを明示するよう制御することを特徴とする請求項２に記載の画像形成装置。
【請求項４】
前記本体制御部が、前記印刷制御部によって画像形成した用紙を排紙トレイに排出する際に、前記表示操作部にて該排出先の排紙トレイをメッセージで示すことによって該排出先の排紙トレイを明示するよう制御することを特徴とする請求項２または３に記載の画像形成装置。
【請求項５】
該画像形成装置が後処理装置を含み、前記複数の排紙トレイが、前記印刷制御部によって画像形成した用紙が前記前記後処理装置を経た後に排出されるトレイであることを特徴とする請求項１ないし４のうちのいずれか１項に記載の画像形成装置。
【請求項６】
原稿画像を読み取り画像データを得る画像入力部と、画像データに基づいて用紙に画像を形成する印刷制御部と、画像形成装置の動作を制御する本体制御部と、ユーザに対する表示やユーザからの操作入力を行う表示操作部と、前記印刷制御部によって画像形成した用紙の排出先である複数の排紙トレイとを具備した画像形成装置の制御方法において、
前記表示操作部に該画像形成装置の前記複数の排紙トレイの設けられた位置が明示された模擬図をグラフィック表示し、該表示操作部に表示された複数の排紙トレイのそれぞれに対応付けて排出先の排紙トレイを指定するボタンを前記表示操作部に表示し、前記排出先の排紙トレイを指定するボタンに対するユーザからの入力を受付け、該入力結果に基づいて、前記印刷制御部によって画像形成した用紙の排出先の排紙トレイを決定するように制御する
ことを特徴とする画像形成装置の制御方法。
【発明の詳細な説明】
【技術分野】
【０００１】
本発明は、たとえば電子写真方式により用紙に画像形成する画像形成装置およびその制御方法に関する。
【背景技術】
【０００２】
従来から、一様に帯電させた感光体の感光層に光を当てることによって露光して潜像を形成し、この潜像が形成された感光層にトナーを付着させることによって現像し、これを用紙に転写して画像形成を行うディジタル複写機等の電子写真方式の画像形成装置がよく知られている。
【０００３】
このような画像形成装置では、給紙された用紙に画像形成を行った後に、その画像形成した用紙を排紙トレイに排出するよう制御するわけだが、最近では、複数の排紙トレイを備え、ユーザの設定に応じて所望の排紙トレイに排出することができるようにしている。
【０００４】
たとえば、１台の装置を複数のユーザで使用する場合には、ユーザによっては他者と異なる排紙トレイに排出するよう設定することによって、出力物の区別を容易に行えるようにすることができる。
【０００５】
また、その画像形成装置が、複写機、プリンタ、ファクシミリ装置という具合に様々な機能を提供する複合機の場合には、機能ごとに排紙トレイを異ならせるようにしておけば、それぞれの出力物を混乱することなく、出力物の区別を容易に行えるようにすることができる。
【０００６】
たとえば特許文献１に記載の発明では、画像形成装置において複数の排紙トレイを備え、予め指定した排紙トレイに画像形成した用紙を排出することができるようにしている。
【０００７】
【特許文献１】特開平８−５３２６３号公報
【発明の開示】
【発明が解決しようとする課題】
【０００８】
ところが、上述した従来技術においては以下のような問題があった。
【０００９】
すなわち、たとえば特許文献１に記載のような従来の画像形成装置では、排出先の排紙トレイを指定する点については開示されているものの、指定の仕方のやり易さ、すなわちユーザの使い勝手についてまでは検討されていなかった。
【００１０】
このため従来の画像形成装置では、ユーザが排出先の排紙トレイを指定する際、たとえば、排紙トレイに付けられた名前によって複数の排紙トレイのそれぞれを特定し、これによって排出先の排紙トレイを指定するようにする必要があるが、これでは、どの排紙トレイがどの名前であるかが明確ではなく、トレイ指定の際にユーザが混乱してしまうおそれがあり、ユーザの使い勝手は悪いものであった。
【００１１】
また、従来は、排出時にどの排紙トレイに排出されているかをユーザが知るためには、実際に排出されている様子を見て確認するしかなかった。
【００１２】
本発明は上記の点にかんがみてなされたもので、複数の排紙トレイを備えた画像形成装置において、複数の排紙トレイのいずれかを排出先として指定する際にユーザがわかりやすくし、使い勝手を向上させ、また、排出時にどの排紙トレイに排出されているかを、実際に排出されている様子を見ずともユーザが容易に認識することができる画像形成装置を提供することを目的とする。
【課題を解決するための手段】
【００１３】
本発明は上記の目的を達成するために、原稿画像を読み取り画像データを得る画像入力部と、画像データに基づいて用紙に画像を形成する印刷制御部と、画像形成装置の動作を制御する本体制御部と、ユーザに対する表示やユーザからの操作入力を行う表示操作部と、前記印刷制御部によって画像形成した用紙の排出先である複数の排紙トレイとを具備した画像形成装置において、前記本体制御部が、前記表示操作部に該画像形成装置の前記複数の排紙トレイの設けられた位置が明示された模擬図をグラフィック表示し、該表示操作部に表示された複数の排紙トレイのそれぞれに対応付けて排出先の排紙トレイを指定するボタンを前記表示操作部に表示し、前記排出先の排紙トレイを指定するボタンに対するユーザからの入力を受付け、該入力結果に基づいて、前記印刷制御部によって画像形成した用紙の排出先の排紙トレイを決定するように制御することを特徴とする。
【００１４】
また本発明は、請求項１に記載の発明において、前記本体制御部が、前記印刷制御部によって画像形成した用紙を排紙トレイに排出する際に、前記表示操作部にて該排出先の排紙トレイを明示するよう制御することを特徴とする。
【００１５】
また本発明は、請求項２に記載の発明において、前記本体制御部が、前記印刷制御部によって画像形成した用紙を排紙トレイに排出する際に、前記表示操作部にて該排出先の排紙トレイの表示色を他と異ならせることによって該排出先の排紙トレイを明示するよう制御することを特徴とする。
【００１６】
また本発明は、請求項２または３に記載の発明において、前記本体制御部が、前記印刷制御部によって画像形成した用紙を排紙トレイに排出する際に、前記表示操作部にて該排出先の排紙トレイをメッセージで示すことによって該排出先の排紙トレイを明示するよう制御することを特徴とする。
【００１７】
また本発明は、請求項１ないし４のうちのいずれか１項に記載の発明において、該画像形成装置が後処理装置を含み、前記複数の排紙トレイが、前記印刷制御部によって画像形成した用紙が前記前記後処理装置を経た後に排出されるトレイであることを特徴とする。
【００１８】
また本発明は、原稿画像を読み取り画像データを得る画像入力部と、画像データに基づいて用紙に画像を形成する印刷制御部と、画像形成装置の動作を制御する本体制御部と、ユーザに対する表示やユーザからの操作入力を行う表示操作部と、前記印刷制御部によって画像形成した用紙の排出先である複数の排紙トレイとを具備した画像形成装置の制御方法において、前記表示操作部に該画像形成装置の前記複数の排紙トレイの設けられた位置が明示された模擬図をグラフィック表示し、該表示操作部に表示された複数の排紙トレイのそれぞれに対応付けて排出先の排紙トレイを指定するボタンを前記表示操作部に表示し、前記排出先の排紙トレイを指定するボタンに対するユーザからの入力を受付け、該入力結果に基づいて、前記印刷制御部によって画像形成した用紙の排出先の排紙トレイを決定するように制御することを特徴とする。
【発明の効果】
【００１９】
本発明によれば、複数の排紙トレイを備えた画像形成装置において、複数の排紙トレイのいずれかを排出先として指定する際にユーザがわかりやすくし、使い勝手を向上させ、また、排出時にどの排紙トレイに排出されているかを、実際に排出されている様子を見ずともユーザが容易に認識することができる画像形成装置を提供することができる。
【発明を実施するための最良の形態】
【００２０】
以下、本発明の実施の形態を図面を参照して説明する。
【００２１】
図１は、本発明による画像形成装置の一実施の形態の構成を示す概略断面図である。本実施の形態では画像形成装置として電子写真方式の複写機を例に挙げて説明する。
【００２２】
ここで、図１を参照して本実施の形態による画像形成装置１００の構成および基本動作について説明する。
【００２３】
なお、本実施の形態ではカラー画像の画像形成が可能な画像形成装置について説明するが、本発明はこれに限られたものではなく、モノクロの画像形成のみが可能な画像形成装置にも適用可能であることは言うまでもない。
【００２４】
画像形成装置本体１００は、カラー画像形成手段用に複数組の原稿書き込みユニット１５３Ｙ、１５３Ｍ、１５３Ｃを備え、モノクロ画像形成手段用に原稿書き込みユニット１５４Ｋを備えるものである。原稿書き込みユニット１５３Ｙはイエロー色、原稿書き込みユニット１５３Ｍはマゼンタ色、原稿書き込みユニット１５３Ｃはシアン色、原稿書き込みユニット１５４Ｋは黒色の画像形成が可能になっている。
【００２５】
上記原稿書き込みユニット１５３Ｙ、１５３Ｍ、１５３Ｃ、１５４Ｋにそれぞれ対応して、感光体６Ｙ、６Ｍ、６Ｃ、６Ｋ、帯電手段７Ｙ、７Ｍ、７Ｃ、７Ｋ、現像手段８Ｙ、８Ｍ、８Ｃ、８Ｋを備えている。また、上記カラー画像形成手段、モノクロ画像形成手段に共通する中間転写ユニット９を備えており、中間転写ユニット９は、複数のローラに巻回され、回転可能に支持されて上記感光体６Ｙ、６Ｍ、６Ｃ、６Ｋと接触可能に配置されたエンドレスベルト形状の中間転写体９ａと該中間転写体９ａを上記感光体６Ｙ、６Ｍ、６Ｃ、６Ｋに接触させて画像を転写させる一次転写手段９Ｙ、９Ｍ、９Ｃ、９Ｋを有している。
【００２６】
次いで他の構成を説明すると、画像形成装置１００の上部側には、スキャナ部として機能する原稿読み取りユニット１が設けられており、ガラス面のプラテン上に原稿がセットされ、原稿読み取りユニット１で走査されて読み取られる。該原稿読み取りユニット１内には上記走査によって得られる反射光が入力されるＣＣＤ１３１が配置されている。なお、原稿読み取りユニット１にはＡＤＦ（自動原稿送り装置）１ａを接続し、原稿の両面を読取可能な構成にすることが望ましい。
【００２７】
また、画像形成装置１００の下部には、給紙トレイ２、３、４が配置されており、それぞれに給紙手段２ａ、３ａ、４ａが設けられている。また、画像形成装置１００の側方外壁部には手差しトレイ５が設けられており、該手差しトレイ５に対する給紙手段５ａが設けられている。このように複数の給紙トレイ、手差しトレイが設けられているのでサイズの異なる複数種類の用紙を用いることができる。
【００２８】
上記給紙手段２ａ〜５ａの給紙側先方にはレジストローラ１５が配置され、さらにその先方には前記中間転写体９ａに用紙を押圧可能な二次転写ローラ１６が配置されている。該二次転写ローラ１６の先方には、定着手段１７が設けられており、該定着手段１７の先方には排紙ローラ１８が設けられている。なお、本実施の形態においては、排紙ローラ１８の後段に、後述の後処理装置２７が設けられており、後処理装置２７の後が最終的な用紙の排出先となる。
【００２９】
画像形成装置１００では、画像形成指令にしたがって、カラーでの印刷の際には、上記原稿書き込みユニット１５３Ｙ、１５３Ｍ、１５３Ｃ、１５４Ｋによって必要に応じて形成された画像が、前記感光体６Ｙ、６Ｍ、６Ｃ、６Ｋ、帯電手段７Ｙ、７Ｍ、７Ｃ、７Ｋ、現像手段８Ｙ、８Ｍ、８Ｃ、８Ｋ、一次転写手段９Ｙ、９Ｍ、９Ｃ、９Ｋによって中間転写体９ａに転写される。一方、モノクロ印刷の際には上記原稿書き込みユニット１５４Ｋによって形成された画像が、前記感光体６Ｋ、帯電手段７Ｋ、現像手段８Ｋ、一次転写手段９Ｋによって中間転写体９ａに転写される。
【００３０】
一方、画像形成に必要な用紙は、用紙サイズ等にしたがって給紙トレイ２、３、４または手差しトレイ５のいずれかから、給紙手段２ａ、３ａ、４ａまたは５ａによって給紙され、レジストローラ１５を経て二次転写ローラ１６に至る。該二次転写ローラ１６によって用紙は中間転写体９ａに押圧され、中間転写体９ａ上の画像が用紙に転写される。画像が転写された用紙は、定着手段１７で画像の定着がなされ、排紙ローラ１８を経て画像形成装置１００の外部に排出される。
【００３１】
図２は、図１に示した画像形成装置本体１００の制御に関する構成を示すブロック図である。
【００３２】
図２に示すように、画像形成装置本体１００は、本体の全体制御を行う本体制御部２１と、原稿読み取りユニット１を有し、原稿から画像を読み取る画像入力部２２と、原稿書き込みユニット１５３Ｙ、１５３Ｍ、１５３Ｃ、１５４Ｋを有し、たとえば紙などの画像形成用紙に画像を形成する印刷制御部２５と、画像入力部２２によって読み取った画像データやそのほか、本体制御部２１で実行するプログラム、画像形成装置１００の動作に必要なパラメータ、表示操作部２６にて表示するアイコンデータ等を記憶する記憶部２４と、画像形成装置１００からユーザに対して情報表示したり、ユーザが画像形成装置１００に対する操作、指示等を入力する表示操作部２６と、画像形成した用紙をステイプル止めしたり、ファイリング用の穴あけをしたりする後処理装置２７とを有して構成される。
【００３３】
なお、本実施の形態では、後述するように、画像形成装置１００の後処理装置２７が、たとえば大量の出力物をスタックしておくスタッカや、画像形成した用紙をステイプル止めステイプラを有するものとし、画像形成した用紙の排出先の排紙トレイとして、これらのスタッカや、ステイプラに設けられたトレイ等を指定することができるものであるとする。
【００３４】
ただし、本発明の適用は、後処理装置がある場合に限られるものではなく、後処理装置を設けずに、後処理をせずに排出するだけの構成の画像形成装置において複数の排紙トレイを有し、その複数の排紙トレイのいずれかを排出先として指定する場合にも適用できる。
【００３５】
表示操作部２６は、たとえば、タッチパネル式の操作パネルと固定ボタン式の操作部とを有して構成される。この表示操作部２６は図１においては示していないが、画像形成装置本体１００の上段の、ユーザが操作しやすい位置に設けるのがよい。
【００３６】
また、この表示操作部２６は、ＣＲＴ、液晶、ＥＬ等の表示パネル部と、表示パネルのボタン位置に対応した座標位置の検出を行うタッチパネル、マウス等の入力装置部とを含むものであってもよい。
【００３７】
次に、本実施の形態の動作について図面を参照しながら詳細に説明する。
【００３８】
図３は、図１に示した本実施の形態の画像形成装置１００における、画像形成後の用紙を排出する排出先の排紙トレイをユーザが指定する処理の流れの一例を示すフローチャートである。
【００３９】
ユーザは、画像形成装置１００の表示操作部２６において、これから行う画像形成処理についての各種条件設定を行う。
【００４０】
図４は、画像形成装置１００の表示操作部２６に表示される、画像形成処理の各種条件を設定する画面の一例を示す図である。
【００４１】
本実施の形態の画像形成装置１００では、図４に示すように、画像形成に当たって、原稿に関する条件設定、画像形成する画像の画質についての条件設定、画像形成時の倍率についての条件設定等のそれぞれを行う各ボタンとともに、出力条件を設定する画面を表示させるための出力設定ボタン３０が設けられている。
【００４２】
ユーザによって出力設定ボタン３０が押下された場合には、本体制御部２１にてそれを検出し、表示操作部２６の表示画面を図５に示す画面に変更する。
【００４３】
図５は、画像形成装置１００の表示操作部２６に表示される、画像形成時の出力条件を設定する画面の一例を示す図である。
【００４４】
この出力条件を設定する画面では、図５に示すように、画像形成後の出力の仕方、たとえばステイプル止めをするか、出力物をソートするか、出力物を中折りする処理を行うかなどの設定等のそれぞれを行う各ボタンとともに、排出する排紙トレイをどれにするかを選択、指定するための画面を表示させるための排紙トレイ変更ボタン３１が設けられている。
【００４５】
また、図５の例では、表示操作部２６にて、画像形成装置１００の構成を模擬図にてグラフィック表示し、画像形成装置１００に設けられた複数の排紙トレイが視覚的に認識、識別することができるようにしている。本実施の形態では、複数の排紙トレイのそれぞれに番号を付し、図５の例では、丸付き数字の１番および２番をスタッカの排紙トレイとし、３番および４番を次段のスタッカの排紙トレイとし、５番および６番を次段のステイプラの排紙トレイとしている。これによって複数の排紙トレイのそれぞれの位置がユーザに対して明示される。
【００４６】
ユーザによって排紙トレイ変更ボタン３１が押下された場合には、本体制御部２１にてそれを検出し、表示操作部２６の表示画面を図６に示す画面に変更する。
【００４７】
図６は、画像形成装置１００の表示操作部２６に表示される、排出先の排紙トレイを指定する画面の一例を示す図である。
【００４８】
この排出先の排紙トレイを指定する画面では、図６に示すように、画像形成装置１００の構成を模擬図にてグラフィック表示し、また画像形成装置１００に設けられた複数の排紙トレイが視覚的に認識、識別することができるようにしている。本実施の形態のように、後処理装置２７が設けられている場合には、その状態も模擬図にてグラフィック表示し、画像形成後の用紙の排出先のそれぞれを視覚的に認識、識別することができる（Ａ−１）。
【００４９】
図６では、１〜６の番号で複数の排紙トレイのそれぞれを特定し、そのそれぞれの番号に対応付けられた排紙トレイ指定ボタン３２を設け、複数の排紙トレイ指定ボタン３２のうちのいずれかを押下することによって、その押下したボタンに対応付けられた排紙トレイを排出先として指定することができる（Ａ−２）。本体制御部２１では複数の排紙トレイ指定ボタン３２のうちのどれが押下されたのかを検出、すなわちどの排紙トレイが排出先として指定されたのかを知り、指定された排紙トレイに関する情報を記憶部２４に記憶する（Ａ−３）。
【００５０】
次に、図３に示したようにして排出先の排紙トレイが指定された後に、画像形成された用紙を排出する際の処理について説明する。
【００５１】
図７は、図１に示した本実施の形態の画像形成装置１００における、画像形成後の用紙を排出する処理の流れの一例を示すフローチャートである。
【００５２】
ユーザが、画像形成装置１００の表示操作部２６において画像形成の実行を入力すると、本体制御部２１では画像形成処理を実行する。
【００５３】
その後、本体制御部２１は、画像形成が完了し用紙を排出する際には、図３のステップ（Ａ−３）にて記憶部２４に記憶した、指定された排紙トレイに関する情報を、記憶部２４から読み出して取得する（Ｂ−１）。
【００５４】
本体制御部２１は、このステップ（Ｂ−１）で取得した、指定された排紙トレイに関する情報に基づいて、今回画像形成した用紙を排出する排紙トレイを決め、用紙をそこに排出する処理を実行する。
【００５５】
このとき、本体制御部２１は表示操作部２６を制御し、表示操作部２６に、図８に示すように、画像形成装置１００の構成を模擬図にてグラフィック表示する。
【００５６】
図８は、画像形成装置１００の表示操作部２６に表示される、画像形成済みの用紙を排出する際の状態表示画面の一例を示す図である。
【００５７】
本実施の形態では、本体制御部２１が表示操作部２６を制御し、図８に示すように、用紙の排出時に画像形成装置１００の構成を模擬図にてグラフィック表示し、その際、排出先の排紙トレイの表示色を通常の表示色と異なる所定の色で表示するよう制御する（Ｂ−２）。たとえば排出先ではない排紙トレイはすべて同一色（たとえば緑）で表示し、排出先の排紙トレイはそれらとは異なる色（たとえば赤）で表示する。これによって排出先の排紙トレイがユーザに対して明示される。
【００５８】
さらに、本体制御部２１は表示操作部２６を制御し、図８に示すように、現在の排出先の排紙トレイの近傍にてメッセージ表示欄３３を設け、このメッセージ表示欄３３にて、たとえば「出力しています」とのメッセージを表示し（Ｂ−３）、どの排紙トレイに用紙が排出されているのかを視覚的に認識することができるようにしている。
【００５９】
図８の例では２番の排紙トレイに用紙を排出すなわち出力している場合を示しており、メッセージ表示欄３３は、２番の排紙トレイの近傍に、２番の排紙トレイを指すようにして設けられている。これによって排出先の排紙トレイがユーザに対して明示される。
【００６０】
ただし、メッセージ表示欄３３は、排出中の排紙トレイの近傍にて表示するだけ（排出中の排紙トレイを指さずに）でもよいし、排出中の排紙トレイを指すだけ（排出中の排紙トレイの近傍ではない場所に表示して）でもよい。
【００６１】
その後、排紙が完了したならば（Ｂ−４）、本体制御部２１は表示操作部２６を制御し、図８の表示画面において、通常色と色を異ならせていた排紙トレイの表示色を通常色に戻し（Ｂ−５）、メッセージ表示欄３３を消去する（Ｂ−６）。
【図面の簡単な説明】
【００６２】
【図１】本発明による画像形成装置の一実施の形態の構成を示す概略断面図である。本実施の形態では画像形成装置として電子写真方式の複写機を例に挙げて説明する。
【図２】図１に示した画像形成装置本体の制御に関する構成を示すブロック図である。
【図３】図１に示した本実施の形態の画像形成装置における、画像形成後の用紙を排出する排出先の排紙トレイをユーザが指定する処理の流れの一例を示すフローチャートである。
【図４】画像形成装置の表示操作部に表示される、画像形成処理の各種条件を設定する画面の一例を示す図である。
【図５】画像形成装置の表示操作部に表示される、画像形成時の出力条件を設定する画面の一例を示す図である。
【図６】画像形成装置の表示操作部に表示される、排出先の排紙トレイを指定する画面の一例を示す図である。
【図７】図１に示した本実施の形態の画像形成装置における、画像形成後の用紙を排出する処理の流れの一例を示すフローチャートである。
【図８】画像形成装置の表示操作部に表示される、画像形成済みの用紙を排出する際の状態表示画面の一例を示す図である。
【符号の説明】
【００６３】
１  原稿読み取りユニット
１ａ  ＡＤＦ
２、３、４  給紙トレイ
２ａ、３ａ、４ａ  給紙手段
５  手差しトレイ
５ａ  給紙手段
６Ｙ、６Ｍ、６Ｃ、６Ｋ  感光体
７Ｙ、７Ｍ、７Ｃ、７Ｋ  帯電手段
８Ｙ、８Ｍ、８Ｃ、８Ｋ  現像手段
９  中間転写ユニット
９ａ  中間転写体
９Ｙ、９Ｍ、９Ｃ、９Ｋ  一次転写手段
１５  レジストローラ
１６  二次転写ローラ
１７  定着手段
１８  排紙ローラ
１３１  ＣＣＤ
１５３Ｙ、１５３Ｍ、１５３Ｃ  原稿書き込みユニット
１５４Ｋ  原稿書き込みユニット
１００  画像形成装置本体
２１  本体制御部
２２  画像入力部
２３  画像処理部
２４  記憶部
２５  印刷制御部
２６  表示操作部
２７  後処理装置
３０  出力設定ボタン
３１  排紙トレイ変更ボタン
３２  排紙トレイ指定ボタン
３３  メッセージ表示欄
【図１】
2005250184.tif 000003
【図２】
2005250184.tif 000004
【図３】
2005250184.tif 000005
【図４】
2005250184.tif 000006
【図５】
2005250184.tif 000007
【図６】
2005250184.tif 000008
【図７】
2005250184.tif 000009
【図８】
2005250184.tif 000010